(57)【要約】【課題】  外面と内面のいずれを外側に配した場合でも見栄えよく使用することのできる寝具カバーが望まれている。【解決手段】  寝具カバー１は、上布２の端縁２Ｃと下布３の端縁３Ｃとを縫合して寝具出入開口４を有する袋状に形成されたものであって、上布２の端縁２Ｃと下布３の端縁３Ｃとを縁かがり縫い５により縫合するとともに、寝具出入開口４を形成する部分の、上布２の端縁２Ｄの全体にわたって縁かがり縫い６を施したものである。この寝具カバー１は、表裏反転させて使用することができ、端縁２Ｃ，２Ｄ，３Ｃから織糸が解けることもない。また、簡素な構成であるので、容易に製造できて安価に提供される。【選択図】      図２
0003104767.tif 000002
【実用新案登録請求の範囲】
【請求項１】
寝具を被う布地を備えてなり、該布地の端縁に端縁全周にわたって縁かがり縫いを施したことを特徴とする寝具カバー。
【請求項２】
上布の端縁と下布の端縁とを縫合して寝具出入開口を有する袋状に形成された寝具カバーであって、上布の端縁と下布の端縁とを縁かがり縫いにより縫合するとともに、寝具出入開口を形成する部分の、上布および／または下布の端縁の全体にわたって縁かがり縫いを施したことを特徴とする寝具カバー。
【考案の詳細な説明】
【技術分野】
【０００１】
本考案は、敷布団、掛布団、毛布、枕などの寝具を被う寝具カバーに関するものである。
【背景技術】
【０００２】
従来、汎用の寝具カバーとして、下記の特許文献１に記載されたものが知られている。図９（ａ）および図１０（ａ）に示すように、下記文献１記載の寝具カバー５１は掛布団用である。この寝具カバー５１は、広げた上布５２と下布５３を重ね合わせ、上布５２の端縁５５と下布５３の端縁５６の近傍を１本針本縫いまたは２本針本縫いにより縫目５７で示すように縫合して袋状に形成されている。上布５２の中央部分には掛布団をカバー内に出し入れするための寝具出入開口５４が形成されている。寝具出入開口５４の端縁は三巻部５９として形成され１本針本縫いまたは２本針本縫いにより縫目５７で示すように縫合されている。図９（ａ）および図１０（ａ）に示した状態では、上布５２の一面５２Ａと下布５３の一面５３Ａが外側となり、上布５２の他面５２Ｂと下布５３の他面５３Ｂが内側となっている。
【０００３】
使用にあたっては、上布５２および下布５３が寝具出入開口５４を通して裏返される。これにより、図９（ｂ）および図１０（ｂ）のように、上布５２および下布５３が外周の縫目５７の内寄りで折り返されて折返し部６０となる。すると、上布５２の一面５２Ａと下布５３の一面５３Ａが内側となり、上布５２の他面５２Ｂと下布５３の他面５３Ｂが外側となる。この状態で、掛布団７が寝具出入開口５４からカバー内に装入されて使用されるようになっている。
【０００４】
【特許文献１】特開２００１−１６９８８４号公報（段落番号〔００１８〕、〔００２１〕、図３）
【考案の開示】
【考案が解決しようとする課題】
【０００５】
しかしながら、図９（ａ）および図１０（ａ）に示した状態の寝具カバー５１は、切断端である端縁５５，５６が波打った状態のままであるので見た目が悪く、端縁５５，５６から織糸が解けて糸くずを生じ見苦しくなることがある。更には、寝具出入開口５４周縁の三つ巻部分が外側になることも見栄えを損なう。そのために、寝具カバー５１は、図９（ａ）および図１０（ａ）の状態から図９（ｂ）および図１０（ｂ）に示すように裏返され、上布５２および下布５３の他面５２Ｂ，５３Ｂを外側にして使用されていた。
【０００６】
ところで、寝具カバーは使用時に内面となる面を外側にした状態で洗濯されることが多い。しかしながら、寝具カバーが使用時の状態のまま洗濯に出されることが多々あり、その場合は洗濯に先立って寝具カバーを裏返ししなければならない。かかる裏返し作業はわずらわしく、特に病院、介護施設、宿泊施設などからの寝具カバーが１日に数千枚から数万枚洗濯される場合は裏返し作業が大変重労働となる。また、カバーの内側が汚れていないにも拘わらずカバーの外側が汚れてくれば、寝具から取り外して洗濯しなければならず、寝具カバー５１の片面しか利用できなかった。
【０００７】
本考案は、上記した従来の問題点に鑑みてなされたものであって、外面と内面のいずれを外側に配した場合でも見栄えよく使用することのできる寝具カバーの提供を目的とするものである。
【課題を解決するための手段】
【０００８】
上記目的を達成するために、本考案に係る寝具カバーは、寝具を被う布地を備えてなり、該布地の端縁に端縁全周にわたって縁かがり縫いを施した構成にしてある。
【０００９】
また、上布の端縁と下布の端縁とを縫合して寝具出入開口を有する袋状に形成された寝具カバーであって、上布の端縁と下布の端縁とを縁かがり縫いにより縫合するとともに、寝具出入開口を形成する部分の、上布および／または下布の端縁の全体にわたって縁かがり縫いを施したものである。
【考案の効果】
【００１０】
本考案に係る寝具カバーによれば、寝具を被う布地の端縁に端縁全周にわたる縁かがり縫いが施されているので、端縁が見栄えを損ねることはない。従って、この考案の寝具カバーは表裏反転させて使用することができ、端縁から織糸が解けるといったこともない。また、この寝具カバーは簡素な構成であるので、容易に製造できて安価に提供される。
【００１１】
そして、上布の端縁と下布の端縁とが縁かがり縫いにより縫合されて寝具出入開口を有する袋状に形成され、寝具出入開口を形成する部分の、上布および／または下布の端縁の全体にわたって縁かがり縫いが施されている場合は、見栄えを損なうことがなくリバーシブル使用をすることができる。従って、大量に洗濯する場合であっても、寝具カバーはその使用時のままの状態で洗濯することができ裏返し作業を必要としない。そして、この寝具カバーは簡素な構成であるので容易に製造できて安価に提供され、縁かがり縫い部分の耐久性も十分に高い。また、使用途中でカバーの内側が未だ汚れていない場合に、寝具カバーを裏返し、カバーの内側にあった面を外側に配して使用することもできる。
因みに、縁かがり縫い（オーバロック縫いともいう）は布地端縁の切断端に織糸の解れを防ぐために使用されてきた。そのために、そもそも縁かがり縫いで複数枚の布地の端縁を縫合するという発想がなく、縁かがり縫いによる縫合強度が検討されることもなかったのである。
【考案を実施するための最良の形態】
【００１２】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る寝具カバーを示す図であって（ａ）は寝具カバーの平面図、（ｂ）は（ａ）の寝具カバーを裏返した状態を示す平面図、図２は図１に対応した図であって（ａ）は図１（ａ）におけるＡ−Ａ線矢視で示す概略端面図、（ｂ）は図１（ｂ）におけるＣ−Ｃ線矢視で示す概略端面図、図３は図１（ａ）における円Ｂ内を示す拡大部分斜視図である。
各図において、この実施形態に係る寝具カバー１は掛布団カバーであり、外周縁の寸法がほぼ同じである上布２と下布３を用いて構成されている。上布２および下布３の素材は特に限定されないが、例えば綿７０％、ポリエステル３０％の平織布を用いてある。上布２の中央部分には掛布団７をカバー内に出し入れするための寝具出入開口４が形成されている。
【００１３】
上布２と下布３は、それぞれの端縁２Ｃと端縁３Ｃとがそれぞれの端縁全周にわたって縁かがり縫い５により縫合されて袋状に形成されている。図１（ａ）および図２（ａ）に示した状態では、上布２の一面２Ａと下布３の一面３Ａが外側となり、上布２の他面２Ｂと下布３の他面３Ｂが内側となっている。また、寝具出入開口４を形成している部分の上布２の端縁２Ｄ全体にも、縁かがり縫い６が施されている。これらの縁かがり縫い５，６は、オーバロックミシン（図示省略）により上糸８および下糸９で形成されている。上糸８と下糸９は特に限定されないが、例えばポリエステル製のカタン糸を使用してある。これらの縁かがり縫い５，６はかがり幅Ｗが３ｍｍ程度の比較的小ループで密に形成されている。
【００１４】
尚、縁かがり縫い５，６のかがり幅Ｗは２ｍｍ以上６ｍｍ以下に設定するのが好ましい。かがり幅Ｗが２ｍｍを下回ると見た目がより目立たなくなる反面、縁かがり縫い５，６が外向きに強い力で引っ張られると、端縁２Ｃ，３ｃの織糸が上糸８および下糸９に同伴してほつれ、縁かがり縫い５，６が解けてしまうおそれがある。他方、かがり幅Ｗが６ｍｍを上回ると縁かがり縫い５，６の縫合強度は高くなるが、縁かがり縫い５，６の存在が目立ち過ぎて、リバーシブルカバーとしての使用が適さなくなる。
【００１５】
図１（ａ）および図２（ａ）に示した状態の寝具カバー１は、掛布団７を寝具出入開口４からカバー内に装入して使用される。この場合、縁かがり縫い５，６は比較的小ループで密な縫目で形成されているので、図１（ａ）および図２（ａ）に示すように、縁かがり縫い５，６の部分は外から見える位置にあってもほとんど目立たず違和感を生じない。従って、寝具カバー１はその状態のまま裏返すことなく使用できる。無論、上布２の端縁２Ｃ，２Ｄと下布３の端縁３Ｃは縁かがり縫い５，６の上糸８および下糸９で囲まれたループ内に内装されているので、その部分の織糸はほつれない。
【００１６】
そして、前記の状態から上布２および下布３を寝具出入開口４を通して引き出すと、寝具カバー１が裏返される。これにより、図１（ｂ）および図２（ｂ）のように、上布２および下布３が縁かがり縫い５の内寄りで折り返されて折返し部１３となる。そして、上布２の一面２Ａと下布３の一面３Ａが袋の内側となり、上布２の他面２Ｂと下布３の他面３Ｂが袋の外側となる。
【００１７】
以上詳述したように、本実施形態の寝具カバー１は、上布２と下布３の一面２Ａ，３Ａを袋の外側に配した場合、他面２Ｂ，３Ｂを袋の外側に配した場合のいずれも、見栄えを損なうことがなく、リバーシブル使用をすることができる。これにより、病院、介護施設、宿泊施設などにおいて１日に数千枚から数万枚と取り替えて洗濯されるものであっても、寝具カバー１はその使用時のままの状態で洗濯することが可能で裏返し作業を必要としない。従って、取扱いが極めて楽な寝具カバー１が提供される。かかる寝具カバー１は繊維製品規定の繰り返し洗濯試験でも良好な結果が得られており、縁かがり縫い５，６部分の耐久性が十分に高いことが証明されている。そして、この寝具カバー１は簡素な構成であるので、容易に製造できて安価に提供される。また、使用途中でカバーの内側が未だ汚れていない場合に、寝具カバー１を裏返し、カバーの内側にあった面を外側に配して使用することもできる。
【００１８】
続いて、別の実施形態に係る寝具カバーを図４に示す。図４に示した寝具カバー１ａは掛布団用、敷布団用、または毛布用として使用される。この寝具カバー１ａでは、平面長方形状の上布２ａと下布３ａが重ね合わせられ、それぞれの四辺の端縁が縁かがり縫い５により縫合されて袋状に形成されている。寝具カバー１ａの長辺のひとつには、上布２ａと下布３ａを縫合しない部分が設けられ、当該部分が寝具出入開口４ａとなっている。寝具出入開口４ａを形成する部分の、上布２ａの端縁２Ｅおよび下布３ａの端縁３Ｅの全体にわたって縁かがり縫い６Ａ，６Ａが施されている。寝具出入開口４ａと対向する側の長辺には、手を差し入れて寝具を袋内に引き入れるための手挿入開口１０が２つ設けられている。これらの手挿入開口１０，１０を形成する部分の端縁にも、端縁全体にわたって縁かがり縫い６Ｂ，６Ｂが施されている。尚、上布２ａの端縁２Ｅおよび下布３ａの端縁３Ｅに、寝具出入開口４ａを閉止するための紐１１，１１（図中の２点鎖線で示す）を縫着しておいてもよい。
【００１９】
この寝具カバー１ａも見栄えを損なうことなくリバーシブル使用ができ、洗濯時の裏返し作業を必要としない。尚、既述した寝具カバー１（図１、図２）では寝具出入開口４のある上布２を利用者側に配して使用することはない。そのために、内外裏返したとしても２通りの態様でしか使用しない。それに対し、この実施形態の寝具カバー１ａは、上布２ａの一面と他面、および下布３ａの一面と他面といったように４面を利用者側に配する４通りの態様で使用できるという利点がある。
【００２０】
図５および図６に２枚重ねた上布の間に寝具出入開口４ｂを形成した寝具カバー（掛布団カバー）１ｂを示す。この寝具カバー１ｂでは、２枚の上布２ｂ，２ｃおよび下布３が重ね合わせられ、それぞれの辺の端縁が縁かがり縫い５により縫合されて袋状に形成されている。上布２ｂの端縁２Ｆの上方には、上布２ｃの端縁２Ｇが被せられて配置される。上布２ｂと上布２ｃの重ね合わせ部分の両側部は、縫目１２，１２のように縫合されている。これにより、上布２ｂと上布２ｃの間に寝具出入開口４ｂが形成される。寝具出入開口４ｂを形成する部分の上布２ｂの端縁２Ｆ全体にわたって縁かがり縫い６Ｃが施され、寝具出入開口４ｂを形成する部分の上布２ｃの端縁２Ｇ全体にわたって縁かがり縫い６Ｄが施されている。
【００２１】
この寝具カバー１ｂの場合、外側に現われている上布２ｃの端縁２Ｇ、上布２ｂ，２ｃおよび下布３の外周端縁に、縁かがり縫い６Ｄ，５が施されているので、見栄えを損なうことがない。また、寝具出入開口４ｂを通して内外を裏返した場合、上布２ｂ，２ｃおよび下布３の外周端縁の縁かがり縫い５は内方に隠れて外方から見えず、外側に現われた上布２ｂの端縁２Ｆの縁かがり縫い６Ｃも見栄えを損なわない。従って、寝具カバー１ｂはリバーシブルカバーとして使用できる。
【００２２】
図７に示した寝具カバー１ｃは枕カバーの例を示している。この寝具カバー１ｃでは、長尺帯状の布地が折返し部１４で折り返され上布１５および下布１６として重ね合わせられている。上布１５と下布１６はそれぞれの二辺の端縁１５Ａ，１６Ａが縁かがり縫い１７，１７により縫合されて袋状に形成されている。上布１５および下布１６の残りの一辺の端縁１５Ｂ，１６Ｂは縫合されることなく寝具出入開口４ｃを形成している。そして、寝具出入開口４ｃを形成する部分の、上布１５の端縁１５Ｂおよび下布１６の端縁１６Ｂの全体にわたって、それぞれ縁かがり縫い１８，１８が施されている。この枕カバーも見栄えを損なうことなくリバーシブル使用ができ、洗濯時の面倒な裏返し作業を必要としない。
【００２３】
図８に示した寝具カバー１ｄは敷布団を被う一枚の布地２０から構成されている。そして、布地２０の四辺の端縁２０Ａ，２０Ａ，２０Ａ，２０Ａに、縁かがり縫い２１が端縁全周にわたって施されている。この寝具カバー１ｄも、四辺の縁かがり縫い２１が見栄えを損ねることがないから、表裏反転させて使用できる。また、各端縁２０Ａから織糸が解けるといったこともない。
【００２４】
尚、通常の使用態様であれば下布に寝具出入開口を設けることはないが、下布だけに寝具出入開口を設けるような場合でも、本考案の寝具カバーはリバーシブルカバーとして好適に使用される。また、本発明にいう寝具には座布団も含まれる。
【図面の簡単な説明】
【００２５】
【図１】本考案の一実施形態に係る寝具カバーを示す図であって（ａ）は寝具カバーの平面図、（ｂ）は（ａ）の寝具カバーを裏返した状態を示す平面図である。
【図２】（ａ）は図１（ａ）におけるＡ−Ａ線矢視で示す概略端面図、（ｂ）は図１（ｂ）におけるＣ−Ｃ線矢視で示す概略端面図である。
【図３】図１（ａ）における円Ｂ内を示す拡大部分斜視図である。
【図４】本考案の別の実施形態に係る寝具カバーを示す平面図である。
【図５】本考案の更に別の実施形態に係る寝具カバーを示す平面図である。
【図６】図５におけるＤ−Ｄ線矢視で示す概略端面図である。
【図７】本考案の他の実施形態に係る寝具カバーを示す平面図である。
【図８】本考案の更に他の実施形態に係る寝具カバーを示す平面図である。
【図９】従来の寝具カバーを示す図であって（ａ）は寝具カバーの平面図、（ｂ）は（ａ）の寝具カバーを裏返して使用状態にしたものを示す平面図である。
【図１０】（ａ）は図９（ａ）におけるＥ−Ｅ線矢視で示す概略端面図、（ｂ）は図９（ｂ）におけるＦ−Ｆ線矢視で示す概略端面図である。
【符号の説明】
【００２６】
１，１ａ，１ｂ，１ｃ，１ｄ  寝具カバー
２，２ａ，２ｂ，２ｃ  上布
２Ｃ，２Ｆ，２Ｇ，３Ｃ，１５Ａ，１６Ａ  端縁
２Ｄ，２Ｅ，３Ｅ，１５Ｂ，１６Ｂ  端縁
３，３ａ  下布
４，４ａ，４ｂ，４ｃ  寝具出入開口
５，１７  縁かがり縫い
６，６Ａ，６Ｂ，６Ｃ，６Ｄ，１８  縁かがり縫い
７    掛布団（寝具）
１５  上布
１６  下布
２０  布地
２０Ａ  端縁
２１  縁かがり縫い
【図１】
0003104767.tif 000003
【図２】
0003104767.tif 000004
【図３】
0003104767.tif 000005
【図４】
0003104767.tif 000006
【図５】
0003104767.tif 000007
【図６】
0003104767.tif 000008
【図７】
0003104767.tif 000009
【図８】
0003104767.tif 000010
【図９】
0003104767.tif 000011
【図１０】
0003104767.tif 000012